(57)【要約】【課題】使用者がネットワークシステムを介して遠隔の一組または複数組の照明設備に対してネットワーク化したリアルタイムモニター管理作業を行うことが可能なネットワーク式遠隔照明設備モニター管理システムを提供する。【解決手段】このネットワーク式遠隔照明設備モニター管理システムは、被制御設備に対してネットワーク化したリアルタイムモニター管理機能、エネルギーおよび作動コストの節約のために被制御設備に対しての効率的な電力消費量の管理、およびリアルタイムの異常警告機能を提供することを特徴とする。【選択図】図１
2009017538.tif 000002
【特許請求の範囲】
【請求項１】
遠隔の少なくとも一組の照明設備に対して、ネットワーク化した遠隔モニター管理作業を提供するネットワーク式遠隔照明設備モニター管理システムにおいて、
ネットワークシステムのサーバーに統合され、ネットワークワークステーションが前記ネットワークシステムを介してオンラインすることにより、前記遠隔の照明設備に対して遠隔のモニター管理作業を行うサーボ側ユニットを少なくとも備え、
前記サーボ側ユニットは、
前記サーバーにオンラインされたネットワークワークステーションに対して制御インタフェースと、前記照明設備の操作状態および関係データを表示する照明設備操作状態表示機能と、使用者が選択する一組の照明設備制御命令セットを提供するとともに、使用者によって選択された照明設備制御コマンドを前記ネットワークシステムを介して前記設備側ユニットに伝送するコマンド設定機能と、を提供する制御インタフェースモジュールと、
前記照明設備の操作特性値および関係データを蓄積するとともに、前記制御インタフェースモジュールを介して、前記ネットワークワークステーションにこれらの操作特性値および関係データを表示させるモニターデータ蓄積モジュールと、
前記照明設備に統合され、前記ネットワークシステムにリンクされた設備側ユニットと、を少なくとも備え、
前記設備側ユニットは、
前記設備側ユニットを前記ネットワークシステムにリンクするネットワークリンクモジュールと、
前記ネットワークリンクモジュールにリンクし、前記照明設備と前記サーボ側ユニットとの間に双方向データ転送機能を提供する設備側サーボモジュールと、
前記照明設備が実際に作動している時の操作状態をモニターするとともに、モニターされた各操作特性値を前記設備側サーボモジュールに伝送することにより、前記設備側サーボモジュールが前記ネットワークシステムを介して前記サーボ側ユニットに伝送する操作状態モニター装置と、前記設備側サーボモジュールによって転送されてきた前記サーボ側ユニットが前記ネットワークシステムを介して伝送してきた各制御コマンドに基づいて、前記照明設備を制御することにより所要の操作状態を実現させる操作状態制御器と、を含む操作状態モニターモジュールと、
を少なくとも備えて構成されることを特徴とするネットワーク式遠隔照明設備モニター管理システム。
【請求項２】
前記ネットワークシステムの種類が、インターネット、組織内ネットワークシステム、組織間ネットワークシステム、有線ＬＡＮシステム、無線ＬＡＮシステム、およびバーチャルプライベートネットワークシステムを含むことを特徴とする請求項１に記載のネットワーク式遠隔照明設備モニター管理システム。
【請求項３】
前記設備側ユニットにおける設備側サーボモジュールが、前記操作状態モニター装置が前記照明設備に異常が発生したことをモニターした場合、警告メッセージを応答的に前記ネットワークワークステーションに発する異常状況警告手段をさらに備えていることを特徴とする請求項１に記載のネットワーク式遠隔照明設備モニター管理システム。
【請求項４】
前記サーボ側ユニットが、所定の期間内に前記照明設備の操作特性値を統計して、電子式の電力使用状況分析リストを作成するための定期性操作特性統計分析モジュールをさらに備えていることを特徴とする請求項１に記載のネットワーク式遠隔照明設備モニター管理システム。
【請求項５】
前記ネットワークリンクモジュールが前記ネットワークシステムにリンクされる方式が、ＡＤＳＬ（Ａｓｙｍｍｅｔｒｉｃ  Ｄｉｇｉｔａｌ  Ｓｕｂｓｃｒｉｂｅｒ  Ｌｉｎｅ）ネットワークリンク構造を採用することを特徴とする請求項１に記載のネットワーク式遠隔照明設備モニター管理システム。
【請求項６】
前記ネットワークリンクモジュールが前記ネットワークシステムにリンクされる方式が、ＦＴＴＢ（Ｆｉｂｅｒ  Ｔｏ  Ｔｈｅ  Ｂｕｉｌｄｉｎｇ）ネットワークリンク構造を採用することを特徴とする請求項１に記載のネットワーク式遠隔照明設備モニター管理システム。
【請求項７】
前記ネットワークリンクモジュールが前記ネットワークシステムにリンクされる方式が、無線式のネットワークリンク構造を採用することを特徴とする請求項１に記載のネットワーク式遠隔照明設備モニター管理システム。
【請求項８】
前記モニターデータ蓄積モジュールが、前記照明設備に係る規格および管理データを蓄積することを特徴とする請求項１に記載のネットワーク式遠隔照明設備モニター管理システム。
【請求項９】
前記操作状態モニターモジュールにおける操作状態モニター装置が、
前記照明設備の電源オンオフ状態をモニターするためのオンオフモニター手段と、
前記照明設備の負荷電圧、負荷電流および消費電力をモニターするための電力使用量モニター手段と、
前記照明設備によって生成された発光輝度をモニターするための照明度モニター手段と、
を備えていることを特徴とする請求項１に記載のネットワーク式遠隔照明設備モニター管理システム。
【請求項１０】
前記制御インタフェースモジュールが、システムの安全管理を行い、前記ネットワークワークステーションの使用者が、前記制御インタフェースモジュールによって提供された制御インタフェースに入る権限を持っているかどうかを確認し、使用者が授権認証にパスしたら、前記制御インタフェースモジュールが前記ネットワークワークステーションに前記制御インタフェースを提供し、使用者が授権認証にパスしなかったら、前記制御インタフェースモジュールが前記ネットワークワークステーションに前記制御インタフェースを提供することを禁止するようにする使用者身分認証モジュールをさらに備えていることを特徴とする請求項１に記載のネットワーク式遠隔照明設備モニター管理システム。
【発明の詳細な説明】
【技術分野】
【０００１】
本発明は、ネットワーク式遠隔モニター技術に関し、より詳しくは、ネットワークシステムを介して遠隔の一組または複数組の照明設備に対してネットワーク化したリアルタイムモニター管理作業を行うことが可能なネットワーク式遠隔照明設備モニター管理システムに関するものである。
【背景技術】
【０００２】
照明設備は、各種の建築物の内部、例えばビジネス・ビルディング、工場ビルディング、ホテル、病院、コンビニ、スーパーマーケット、量販店、映画館およびデパートに広汎に応用され、設置されている電機設備である。今のところ汎用されている照明設備の種類は、例えば蛍光灯、白熱灯、ハロゲン灯等である。基本的に、照明設備の機能は、密閉された室内または暗い空間に光源を提供し、密閉された室内にいる人が明かりのある生活および仕事環境を得ることができるようにすることである。
【０００３】
照明設備の作動および管理において、管理者は通常、作動中の照明設備に対して各種のモニター管理作業を行う必要がある。例えば、管理者は照明設備のオンオフ（ＯＮ／ＯＦＦ）状態、電力使用状況（負荷電圧、負荷電流および消費電力）、および提供された照明度が充分かどうかを常時モニターする必要がある。さらに、照明設備が実際に作動している時、管理者はその作動状態が正常であるかどうか、即ち、壊れた電球または明滅している蛍光灯があるかどうかも常時モニターする必要がある。異常が発生した場合、管理者は直ちに保守または取り替え作業を行う必要がある。また、長期的な運営においては、管理者は管理制御にかかる運営コストの参考にするために、照明設備の電力消費量を把握しておく必要がある。
【０００４】
従来、上述のモニター管理作業としては、通常、管理者が目視により照明設備の電球または蛍光灯が正常に発光しているかどうかを検査するとともに、目視により各種の電子機器を検視し、手書きでの書面方式により照明設備の電力使用状況（負荷電圧、負荷電流および消費電力）を記録することなどがなされていた。照明設備全体の長期的な作動効果（即ち電力消費量）を分析する必要がある場合には、管理者はこれらの書面記録データを利用して統計分析を行っていた。
【０００５】
ただし、このような人工的または書面方式による照明設備モニター管理作業を具体的に実施すると、非常に手間がかかり、効率が悪いという欠点がある。また、照明設備に異常な作動状況が発生した場合、管理者は通常、発生直後すぐ知ることができないため、保守作業も遅延されてしまう。
【発明の開示】
【発明が解決しようとする課題】
【０００６】
そこで、以上のとおりの事情に鑑み、本発明は、ネットワークを介して遠隔の照明設備に対してネットワーク化したリアルタイムモニター管理作業を行うことができるネットワーク式遠隔照明設備モニター管理システムを提供することを第１の目的とする。
【０００７】
また、本発明は、保守作業が直ちに行われるように、被制御照明設備の異常を即時に通報することが可能なネットワーク式遠隔照明設備モニター管理システムを提供することを第２の目的とする。
【課題を解決するための手段】
【０００８】
上記の課題を解決するために、本発明に係るネットワーク式遠隔照明設備モニター管理システムは、分散型の構造に構築され、少なくとも（Ａ）サーボ側ユニット、および（Ｂ）設備側ユニットを備え、該サーボ側ユニットはサーバーに統合される。このサーバーはネットワークシステムにリンクされ、ネットワークワークステーションに該ネットワークシステムを介して該サーボ側ユニットを制御させる。該サーボ側ユニットは、少なくとも（Ａ１）使用者制御インタフェースモジュール、および（Ａ２）それぞれの被制御照明設備に関する規格および管理データを蓄積するためのモニターデータ蓄積モジュールを備え、さらに、（Ａ３）定期性操作特性統計分析モジュールを選択的に備えてよい。該設備側ユニットは、被制御設備に統合され、該ネットワークシステムにリンクされる。この構造は、少なくとも（Ｂ０）ネットワークリンクモジュール、（Ｂ１）設備側サーボモジュール、および（Ｂ２）操作状態モニター装置と操作状態制御器を有する操作状態モニターモジュールを備え、操作状態モニター装置は、該照明設備の電源オンオフ状態をモニターするためのオンオフモニター手段と、該照明設備の負荷電圧、負荷電流、消費電力をモニターするための電力使用量モニター手段と、該照明設備によって生成された発光輝度をモニターするための照明度モニター手段とを備えている。
【０００９】
また、本発明の他の局面において、サーボ側ユニットにおける使用者制御インタフェースモジュールは、さらにシステムの安全管理のために、使用者が制御インタフェースモジュールによって提供された制御インタフェースに入る権限を持っているかどうかを確認する使用者身分認証モジュールをさらに備えている。
【００１０】
また、本発明のさらに他の局面において、該設備側ユニットにおける設備側サーボモジュールは、該操作状態モニター装置によってモニターされた操作特性値が異常状況を示した場合に警告メッセージを応答的に発し該ネットワークワークステーションに通報する異常状況警告手段をさらに備えている。
【００１１】
本発明に係るネットワークシステムには、インターネット（ｉｎｔｅｒｎｅｔ）、組織内ネットワークシステム（ｉｎｔｒａｎｅｔ）、組織間ネットワークシステム（ｅｘｔｒａｎｅｔ）、有線ＬＡＮ（Ｌｏｃａｌ  Ａｒｅａ  Ｎｅｔｗｏｒｋ、ローカル・エリア・ネットワーク）システム、無線ＬＡＮシステム、およびバーチャルプライベートネットワーク（Ｖｉｒｔｕａｌ  Ｐｒｉｖａｔｅ  Ｎｅｔｗｏｒｋ，  ＶＰＮ）システムがある。
【００１２】
本発明に係るネットワークリンクモジュールが該ネットワークシステムにリンクされる方式としては、有線ＡＤＳＬ（Ａｓｙｍｍｅｔｒｉｃ  Ｄｉｇｉｔａｌ  Ｓｕｂｓｃｒｉｂｅｒ  Ｌｉｎｅ、非対称デジタル加入者線）またはＦＴＴＢ（Ｆｉｂｅｒ  Ｔｏ  Ｔｈｅ  Ｂｕｉｌｄｉｎｇ、光ファイバーを企業などのビルまで引くことを指す）のネットワークリンク構造、または無線型（ｗｉｒｅｌｅｓｓ）ネットワークリンク構造を採用することができる。
【００１３】
従来の技術と比較して、本発明に係るネットワーク式遠隔照明設備モニター管理システムには、少なくとも下記の利点がある。（１）被制御照明設備に対してネットワーク化したリアルタイムモニター管理機能を提供できるとともに、視覚化した使用者制御インタフェースを介して、多数の異なるユーザで構成される管理者各々が、遠隔においてネットワークワークステーションから照明設備のそれぞれの作動状況をリアルタイムに把握し、必要とする作動状態を設定し、作動効果を調整することにより、効率の悪い作動を減らし、最適な作動効能モードを確立することを可能にする。（２）被制御照明設備に対して効率的な電力消費量の管理を提供することにより、エネルギーおよび作動コストの節約が図れる。（３）設備の利用率を維持するために、リアルタイムの異常警告を提供する。これにより、管理者は異常が発生した照明設備に対して、保守作業を即行うことができる。（４）使用者身分認証手段を介して、権利を授与された使用者に限り遠隔のモニター管理を行うことができ、集中管理という目的をこれで達成できる。（５）モニターデータ蓄積モジュールに蓄積された照明設備操作特性および作動状態の過去のデータを、異なる使用者の類型（例えばビジネスビルディング、工場ビルディング、ホテル、病院、コンビニ、スーパーマーケット、量販店、映画館およびデパート等）に応じて分析することにより、今後、照明設備生産メーカーが照明設備製品を生産する時の操作制御の設定および管理、保守といった面の参考にすることができる。
【発明を実施するための最良の形態】
【００１４】
以下、本発明に係るネットワーク式遠隔照明設備モニター管理システムの実施形態を図面と合わせながら詳しく説明する。
【００１５】
図１は、本発明に係るネットワーク式遠隔照明設備モニター管理システム（符号５０で示す破線の枠の部分）の応用方法を示す。図１に示すように、本発明に係るネットワーク式遠隔照明設備モニター管理システム５０は、実際の応用においてネットワークシステム１０、例えばインターネット（ｉｎｔｅｒｎｅｔ）、組織内ネットワークシステム（ｉｎｔｒａｎｅｔ）、組織間ネットワークシステム（ｅｘｔｒａｎｅｔ）、有線／無線ＬＡＮまたはバーチャルプライベートネットワークシステムに組み合わせられることにより、複数の使用者（即ち管理者）は、そのネットワークワークステーション２０を利用してネットワークシステム１０を介して遠隔の一組または複数組の照明設備（図１では３組の照明設備３０を模式的に示しているが、数量はそれに限定されるものではない）に対してネットワーク化し、かつリアルタイムのモニター管理作業を行う。実際の応用において、照明設備３０は、例えば蛍光灯、白熱灯またはハロゲン灯であってもよい。
【００１６】
図１に示すように、本発明に係るネットワーク式遠隔照明設備モニター管理システム５０は、分散型の構造に構築され、少なくとも二組の分散したユニットである（Ａ）サーボ側ユニット１００と、（Ｂ）設備側ユニット２００と、を備え、サーボ側ユニット１００は、一台または複数台のサーバー４０に統合され、その内部構造は図２Ａに示すように少なくとも（Ａ０）遠隔設備通信モジュール１０１と、（Ａ１）制御インタフェースモジュール１１０と、（Ａ２）モニターデータ蓄積モジュール１２０と、を備え、さらに、（Ａ３）定期性操作特性統計分析モジュール１３０を選択的に備えてよい。該設備側ユニット２００は、各々の照明設備３０に統合され、その内部構造は図２Ｂに示すように少なくとも（Ｂ０）ネットワークリンクモジュール２０１と、（Ｂ１）設備側サーボモジュール２１０と、（Ｂ２）操作状態モニター装置２２１と操作状態制御器２２２とを含む操作状態モニターモジュール２２０と、を備えている。具体的な実施においては、サーボ側ユニット１００は完全にソフトウェアプログラムによって実現することができ、このソフトウェアプログラムをサーバー４０にインストールすることができる。該設備側ユニット２００におけるネットワークリンクモジュール２０１、設備側サーボモジュール２１０、操作状態モニターモジュール２２０はいずれもハードウェア装置である。
【００１７】
以下、まず、サーボ側ユニット１００における各構成部材の個別の属性および機能をそれぞれ説明する。
【００１８】
遠隔設備通信モジュール１０１は、サーボ側ユニット１００がネットワークシステム１０を介して遠隔の設備側ユニット２００とデータのやり取りを行えるようにする。即ち、設備側ユニット２００がネットワークシステム１０から伝送されてきた照明設備３０に関する操作特性値（ｏｐｅｒａｔｉｎｇ  ｃｈａｒａｃｔｅｒｉｓｔｉｃｓ）を受信することができるようにし、サーボ側ユニット１００からの右制御コマンドをネットワークシステム１０を介して設備側ユニット２００にそれぞれ伝送することができるようにする。
【００１９】
制御インタフェースモジュール１１０は、サーバー４０にオンラインされたネットワークワークステーション２０のそれぞれに使用者制御インタフェース、例えばウインドウ化された図形インタフェースを提供することにより、ネットワークワークステーション２０の使用者（即ち管理者）に被制御設備操作状態表示機能および人工的制御のコマンド設定機能を提供する。被制御設備操作状態表示機能は、各照明設備３０の操作状態および関連データ、例えば各照明設備３０の配置地点、現在のオンオフ状態、現在の照明度設定値、電力使用状況（負荷電圧、負荷電流、消費電力）を表示し、さらに各照明設備３０に係る規格や管理データ、例えばブランドネーム、型の番号、規格、購買先、購買日、保存期限、設置地点、保管者氏名、保守およびメンテナンス記録等を表示することができる。また、人工的制御によるコマンド設定機能は、異なるタイプの各照明設備３０に対して使用者が選択または設定できる制御命令セットを提供し、使用者によって選択された制御コマンドをネットワークシステム１０を介して設備側ユニット２００により各照明設備３０に伝送することができる。この制御命令セットによる制御コマンドは、例えばオンオフ状態の設定および必要とする照明度の設定を含む。
【００２０】
本実施形態において、制御インタフェースモジュール１１０は、さらにシステムの安全管理制御を行い、サーバー４０の各ネットワークワークステーション２０にオンラインした使用者が、制御インタフェースモジュールによって提供された制御インタフェースに入る権限を持っているかどうかを確認するための使用者身分認証モジュール１１１を備えている。具体的には、使用者身分認証モジュール１１１は、サーバー４０にオンラインされたネットワークワークステーション２０の各使用者にアドレス及びパスワード等の身分認証データの入力を要求するとともに、入力されたアドレス及びパスワード等の身分認証データが所定の授権識別データに合致しているかどうかを判別し、使用者が授権認証にパスしたら、制御インタフェースモジュール１１０はサーバー４０にオンラインされた各ネットワークワークステーション２０に制御インタフェースを提供し、上述の操作を行うようにする。使用者が授権認証にパスしなかったら、制御インタフェースモジュール１１０はサーバー４０にオンラインされた各ネットワークワークステーション２０に制御インタフェースを提供することを禁止する。
【００２１】
モニターデータ蓄積モジュール１２０は、各照明設備３０が実際に作動した時の操作特性及び使用者設定記録に関するデータ（即ちオンオフ状態、照明度設定値および電力使用状況）の過去の記録を蓄積し、上述の制御インタフェースモジュール１１０を介してネットワークワークステーション２０にこれらの操作特性値を表示することができる。また、モニターデータ蓄積モジュール１２０は、さらに、各照明設備３０に関する規格および管理データ、例えばブランドネーム、型の番号、規格、購買先、購買日、保存期限、設置地点、保管者氏名、保守およびメンテナンス記録等を蓄積することができる。
【００２２】
定期性操作特性統計分析モジュール１３０は、所定の期間内（例えば３ヶ月を単位とする）において各照明設備３０の操作特性データを統計し、電力使用状況分析リストを作成する。例えば、定期性操作特性統計分析モジュール１３０は、今後照明設備３０をモニター管理するための参考として、３ヶ月を単位とし各照明設備３０の総電力消費量を統計し、電子式のリストを自動的に作成することにより、管理者は、ネットワークワークステーション２０上で制御インタフェースモジュール１１０を介してこの分析リストを読み取るかプリントアウトすることができる。
【００２３】
以下、設備側ユニット２００における各構成部材の個別の属性および機能をそれぞれ説明する。
【００２４】
ネットワークリンクモジュール２０１は、設備側ユニット２００をネットワークシステム１０にリンクさせ、そのリンク方式は、例えば有線ＡＤＳＬ（Ａｓｙｍｍｅｔｒｉｃ  Ｄｉｇｉｔａｌ  Ｓｕｂｓｃｒｉｂｅｒ  Ｌｉｎｅ、非対称デジタル加入者線）またはＦＴＴＢ（Ｆｉｂｅｒ  Ｔｏ  Ｔｈｅ  Ｂｕｉｌｄｉｎｇ、光ファイバーを企業などのビルまで引くことを指す）といったネットワークリンク構造、または無線（ｗｉｒｅｌｅｓｓ）のネットワークリンク構造を採用することができ、設備側ユニット２００がネットワークシステム１０を介してサーボ側ユニット１００とデータのやり取りを行えるようにする。
【００２５】
設備側サーボモジュール２１０は、ネットワークリンクモジュール２０１にリンクされ、操作状態モニター装置２２１によってモニターされた各操作特性データを収集し、収集された操作特性データをネットワークリンクモジュール２０１によりネットワークシステム１０を介してサーボ側ユニット１００に伝送することができる。さらには、サーボ側ユニット１００がネットワークシステム１０から伝送してきた制御コマンドを、関連する照明設備３０に係る操作状態制御器２２２に配送することができる。図１に示す実施形態は、ネットワークリンクモジュール２０１が一組の設備側サーボモジュール２１０にリンクされたことのみを示しているが、リンク可能な設備側サーボモジュール２１０の数量は、ネットワークリンクモジュール２０１の接続ポートの数量に応じて決められ、特に限定されるものではない。さらに、この設備側サーボモジュール２１０は、各照明設備３０の操作状態に異常が発生しているかどうかをモニターすることができる異常状況警告手段２１１を備え、異常が発生するとすぐ反応し、警告メッセージを発する。この警告メッセージを、ネットワークシステム１０を介してサーボ側ユニット１００に伝送することにより管理者に通報でき、管理者は異常が発生した被制御設備に対して必要な保守作業を行うことができる。この異常状況警告手段２１１の基本作動方式は、例えば使用者制御インタフェースモジュール１１０が制御コマンドを照明設備３０に発したら、操作状態モニター装置２２１を介して照明設備３０の操作状態が制御コマンドの要求に達しているかどうかをモニターする。要求に達していない場合は、警告メッセージを発する。例えば、照明設備３０の発光輝度が５つのレベルに分けられ、第１のレベルが最小の発光輝度で、第５のレベルが最大の発光輝度であるとする。管理者は制御インタフェースモジュール１１０を介して所要照明度を第３のレベルに設定すると、関連した制御コマンドが照明設備３０に送信された後、それに属した操作状態モニター装置２２１が照明設備３０からの光強度が第３のレベルの照明度に等しいかどうかを持続的にモニターすることができる。否である場合（例えば第２のレベルの照明度しかない場合）、異常状況警告手段２１１は、警告メッセージをネットワークワークステーション２０に発し、管理者が照明設備３０に対して保守作業を行えるようにする。
【００２６】
操作状態モニターモジュール２２０における操作状態モニター装置２２１は、各照明設備３０の実際に作動している時の操作状態をモニターし、その操作特性値を得るとともに、モニターされた各操作特性値を設備側サーボモジュール２１０に伝送し返し、これにより設備側サーボモジュール２１０がそれをネットワークシステム１０を介してサーボ側ユニット１００に伝送するようにする。具体的な実施形態において、この操作状態モニター装置２２１は、例えばスイッチモニター手段２２１ａ、電力使用量モニター手段２２１ｂ、および照明度モニター手段２２１ｃを備え、スイッチモニター手段２２１ａは、照明設備３０の電源スイッチがオンになっているかどうかをモニターし、電力使用量モニター手段２２１ｂは、照明設備３０の負荷電圧、負荷電流および消費電力をモニターし、照明度モニター手段２２１ｃは、照明設備３０によって生成された発光輝度をモニターする。
【００２７】
操作状態モニターモジュール２２０における操作状態制御器２２２は、サーボ側ユニット１００がネットワークシステム１０を介して伝送した各制御コマンドに従って各照明設備３０を制御することにより、所要の操作状態を実現することができる。例えば、照明設備３０が制御コマンドによって調整をされる操作状態は、スイッチ（ＯＮ／ＯＦＦ）および照明度であってもよい。
【００２８】
以下、本発明に係るネットワーク式遠隔照明設備モニター管理システム５０が実際に応用されている場合の全体操作方式を説明する。
【００２９】
実際に操作する際、管理者は、ネットワークワークステーション２０をネットワークシステム１０を介してサーバー４０にオンラインするだけで、サーボ側ユニット１００を使用し遠隔の照明設備３０に対してモニター管理作業を行うことができる。例えば、管理者は、制御インタフェースモジュール１１０を介して照明設備３０の電源をオン又はオフし、その発光輝度を設定することができる。制御インタフェースモジュール１１０は、管理者の制御指示に反応して、それに対応する制御コマンドを発し、遠隔設備通信モジュール１０１がこれらの制御コマンドをネットワークシステム１０を介して設備側ユニット２００に伝送するようにすることができる。
【００３０】
設備側ユニット２００におけるネットワークリンクモジュール２０１は、サーボ側ユニット１００がネットワークシステム１０を介して伝送した制御コマンドを受信すると、その制御コマンドを設備側サーボモジュール２１０に転送する。これにより、設備側サーボモジュール２１０に制御コマンドの内容を解読させて対応する制御信号を生成し、この制御信号を対応する照明設備３０に属する操作状態制御器２２２にサーボすることで、操作状態制御器２２２は、それに属する照明設備３０を応答的に制御し、これにより管理者によって要求された操作状態を実現することができる。
【００３１】
照明設備３０がオンにされると、操作状態モニター装置２２１は、各照明設備３０の操作状態を持続的にモニターすることによりその操作特性値（即ちオンオフ状態、照明度設定値および電力使用状況）を得て、モニターされた各操作特性値を設備側サーボモジュール２１０に伝送し返し、設備側サーボモジュール２１０がネットワークシステム１０を介してサーボ側ユニット１００に伝送するようにできる。照明設備３０が操作状態モニター装置２２１によってモニターされる操作特性は、例えば負荷電圧、負荷電流、電力消費量、発光輝度および環境輝度を含む。
【００３２】
サーボ側ユニット１００はこれらの操作特性データを受信すると、それをすぐモニターデータ蓄積モジュール１２０に蓄積する。この場合、管理者は、制御インタフェースモジュール１１０を介してモニターデータ蓄積モジュール１２０に蓄積された操作特性データを読み取ることにより、各照明設備３０の現在の操作状態を知ることができる。
【００３３】
照明設備３０のいずれか一組に異常が発生した場合、設備側サーボモジュール２１０は、この異常作動状況を検知し、警告メッセージをサーボ側ユニット１００に伝送し返すことにより、管理者は異常が発生した照明設備３０に対して必要な保守作業を行うことができる。この警告機能の内容を具体的に見ると、操作状態モニター装置２２１を利用して実際に作動している時の操作特性値をモニターし、さらに異常状況警告手段２１１を介して現在の操作特性値が管理者によって設定された操作特性値に合致しているかどうかを比較するという機能を果たす。合致していない場合は、すぐに警告メッセージを発する。例えば、照明設備３０の発光輝度が５つのレベルに分けられ、第１のレベルが最小の発光輝度で、第５のレベルが最大の発光輝度であるとする。管理者は制御インタフェースモジュール１１０を介して所要照明度を第３のレベルに設定すると、関連した制御コマンドが照明設備３０に送信された後、それに属する操作状態モニター装置２２１が照明設備３０からの光強度が第３のレベルの照明度に等しいかどうかを持続的にモニターし、否である場合（例えば第２のレベルの照明度しかない場合）、異常状況警告手段２１１は、警告メッセージをネットワークワークステーション２０に発し、管理者が照明設備３０に対して保守作業を行う。
【００３４】
照明設備３０が作動を開始した後の所定の期間内（例えば３ヶ月を単位とする）において、サーボ側ユニット１００における定期性操作特性統計分析モジュール１３０は、各照明設備３０の操作特性データを自動的に統計し、電子式の電力使用状況分析リストを作成することができる。その内容は、例えば各照明設備３０の総電力消費量を含み、管理者は、そのネットワークワークステーション２０上で制御インタフェースモジュール１１０を介してこの分析リストを読み取るかプリントアウトすることができ、これをもって照明設備３０の電力使用量を、調整すべきか否かの参考にすることが可能である。
【００３５】
要するに、本発明に係るネットワーク式遠隔照明設備モニター管理システムには、以下の利点がある。（１）被制御照明設備に対してネットワーク化したリアルタイムモニター管理機能を提供できるとともに、視覚化した使用者制御インタフェースを介して、多数の異なるユーザで構成される管理者各々が、遠隔においてネットワークワークステーションから照明設備のそれぞれの作動状況をリアルタイムに把握し、必要とする作動状態を設定し、作動効果を調整することにより、効率の悪い作動を減らし、最適な作動効能モードを確立することを可能にする。（２）被制御照明設備に対して効率的な電力消費量の管理を提供することにより、エネルギーおよび作動コストの節約が図れる。（３）設備の利用率を維持するために、リアルタイムの異常警告を提供する。これにより、管理者は異常が発生した照明設備に対して、保守作業を即行うことができる。つまり本発明は、従来の技術よりさらに進歩し、実用的な特性を備えている。（４）使用者身分認証手段を介して、権利を授与された使用者に限り遠隔のモニター管理を行うことができ、集中管理という目的をこれで達成できる。（５）モニターデータ蓄積モジュールに蓄積された照明設備操作特性および作動状態の過去のデータを、使用者の類型（例えばビジネスビルディング、工場ビルディング、ホテル、病院、コンビニ、スーパーマーケット、量販店、映画館およびデパート等）に応じて分析することにより、今後、照明設備生産メーカーが照明設備製品を生産する時の操作制御の設定および管理、保守といった面の参考にすることができる。
【００３６】
上記に示したこれらの実施の形態は、本発明を例示するものであり、本発明はこれらによって何ら限定されるものではない。本発明に係る実質的な技術内容は、下記の特許請求の範囲に広義的に定義される。本発明はこの技術分野に精通したものが特許請求の範囲を逸脱しない範囲で色々な修飾や変更が可能であり、そうした修飾や変更は本発明の技術範囲に含まれるものである。
【図面の簡単な説明】
【００３７】
【図１】本発明をネットワークシステムに組み合わせる応用方法を模式的に示したブロック図である。
【図２Ａ】本発明に係るサーボ側ユニットの内部構造を模式的に示したブロック図である。
【図２Ｂ】本発明に係る設備側ユニットの内部構造を模式的に示したブロック図である。
【符号の説明】
【００３８】
１０  ネットワークシステム
２０  ネットワークワークステーション
３０  照明設備（被制御設備）
４０  サーバー
５０  ネットワーク式遠隔照明設備モニター管理システム
１００  サーボ側ユニット
１０１  遠隔設備通信モジュール
１１０  制御インタフェースモジュール
１１１  使用者身分認証モジュール
１２０  モニターデータ蓄積モジュール
１３０  定期性操作特性統計分析モジュール
２００  設備側ユニット
２０１  ネットワークリンクモジュール
２１０  設備側サーボモジュール
２１１  異常状況警告手段
２２０  操作状態モニターモジュール
２２１  操作状態モニター装置
２２１ａ  スイッチモニター手段
２２１ｂ  電力使用量モニター手段
２２１ｃ  照明度モニター手段
２２２  操作状態制御器
【図１】
2009017538.tif 000003
【図２Ａ】
2009017538.tif 000004
【図２Ｂ】
2009017538.tif 000005
【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
遠隔の少なくとも一組の照明設備に対して、ネットワーク化した遠隔モニター管理作業
を提供するネットワーク式遠隔照明設備モニター管理システムにおいて、
ネットワークシステムのサーバーに統合され、ネットワークワークステーションが前記
ネットワークシステムを介してオンラインすることにより、前記遠隔の照明設備に対して
遠隔のモニター管理作業を行うサーボ側ユニットを少なくとも備え、
前記サーボ側ユニットは、
前記サーバーにオンラインされたネットワークワークステーションに対して制御インタ
フェースと、前記照明設備の操作状態および関係データを表示する照明設備操作状態表示
機能と、使用者が選択する一組の照明設備制御命令セットを提供するとともに、使用者に
よって選択された照明設備制御コマンドを前記ネットワークシステムを介して前記設備側
ユニットに伝送するコマンド設定機能と、を提供する制御インタフェースモジュールと、
前記照明設備の操作特性値および関係データを蓄積するとともに、前記制御インタフェ
ースモジュールを介して、前記ネットワークワークステーションにこれらの操作特性値お
よび関係データを表示させるモニターデータ蓄積モジュールと、
前記照明設備に統合され、前記ネットワークシステムにリンクされた設備側ユニットと
、を少なくとも備え、
前記設備側ユニットは、
前記設備側ユニットを前記ネットワークシステムにリンクするネットワークリンクモジ
ュールと、
前記ネットワークリンクモジュールにリンクし、前記照明設備と前記サーボ側ユニット
との間に双方向データ転送機能を提供する設備側サーボモジュールと、
前記照明設備が実際に作動している時の操作状態をモニターするとともに、モニターさ
れた各操作特性値を前記設備側サーボモジュールに伝送することにより、前記設備側サー
ボモジュールが前記ネットワークシステムを介して前記サーボ側ユニットに伝送する操作
状態モニター装置と、前記設備側サーボモジュールによって転送されてきた前記サーボ側
ユニットが前記ネットワークシステムを介して伝送してきた各制御コマンドに基づいて、
前記照明設備を制御することにより所要の操作状態を実現させる操作状態制御器と、を含
む操作状態モニターモジュールと、
を少なくとも備えて構成されることを特徴とするネットワーク式遠隔照明設備モニター
管理システム。
【請求項２】
前記ネットワークシステムの種類が、インターネット、組織内ネットワークシステム、
組織間ネットワークシステム、有線ＬＡＮシステム、無線ＬＡＮシステム、およびバーチ
ャルプライベートネットワークシステムを含むことを特徴とする請求項１に記載のネット
ワーク式遠隔照明設備モニター管理システム。
【請求項３】
前記設備側ユニットにおける設備側サーボモジュールが、前記操作状態モニター装置が
前記照明設備に異常が発生したことをモニターした場合、警告メッセージを応答的に前記
ネットワークワークステーションに発する異常状況警告手段をさらに備えていることを特
徴とする請求項１に記載のネットワーク式遠隔照明設備モニター管理システム。
【請求項４】
前記サーボ側ユニットが、所定の期間内に前記照明設備の操作特性値を統計して、電子
式の電力使用状況分析リストを作成するための定期性操作特性統計分析モジュールをさら
に備えていることを特徴とする請求項１に記載のネットワーク式遠隔照明設備モニター管
理システム。
【請求項５】
前記ネットワークリンクモジュールが前記ネットワークシステムにリンクされる方式が
、ＡＤＳＬ（Ａｓｙｍｍｅｔｒｉｃ  Ｄｉｇｉｔａｌ  Ｓｕｂｓｃｒｉｂｅｒ  Ｌｉｎｅ
）ネットワークリンク構造を採用することを特徴とする請求項１に記載のネットワーク式
遠隔照明設備モニター管理システム。
【請求項６】
前記ネットワークリンクモジュールが前記ネットワークシステムにリンクされる方式が
、ＦＴＴＢ（Ｆｉｂｅｒ  Ｔｏ  Ｔｈｅ  Ｂｕｉｌｄｉｎｇ）ネットワークリンク構造を
採用することを特徴とする請求項１に記載のネットワーク式遠隔照明設備モニター管理シ
ステム。
【請求項７】
前記ネットワークリンクモジュールが前記ネットワークシステムにリンクされる方式が
、無線式のネットワークリンク構造を採用することを特徴とする請求項１に記載のネット
ワーク式遠隔照明設備モニター管理システム。
【請求項８】
前記モニターデータ蓄積モジュールが、前記照明設備に係る規格および管理データを蓄
積することを特徴とする請求項１に記載のネットワーク式遠隔照明設備モニター管理シス
テム。
【請求項９】
前記操作状態モニターモジュールにおける操作状態モニター装置が、
前記照明設備の電源オンオフ状態をモニターするためのスイッチモニターと、
前記照明設備の負荷電圧、負荷電流および消費電力をモニターするための電力使用量モ
ニター手段と、
前記照明設備によって生成された発光輝度をモニターするための照明度モニター手段と
、
を備えていることを特徴とする請求項１に記載のネットワーク式遠隔照明設備モニター
管理システム。
【請求項１０】
前記制御インタフェースモジュールが、システムの安全管理を行い、前記ネットワーク
ワークステーションの使用者が、前記制御インタフェースモジュールによって提供された
制御インタフェースに入る権限を持っているかどうかを確認し、使用者が授権認証にパス
したら、前記制御インタフェースモジュールが前記ネットワークワークステーションに前
記制御インタフェースを提供し、使用者が授権認証にパスしなかったら、前記制御インタ
フェースモジュールが前記ネットワークワークステーションに前記制御インタフェースを
提供することを禁止するようにする使用者身分認証モジュールをさらに備えていることを
特徴とする請求項１に記載のネットワーク式遠隔照明設備モニター管理システム。
【手続補正２】
【補正対象書類名】明細書
【補正対象項目名】０００８
【補正方法】変更
【補正の内容】
【０００８】
上記の課題を解決するために、本発明に係るネットワーク式遠隔照明設備モニター管理
システムは、分散型の構造に構築され、少なくとも（Ａ）サーボ側ユニット、および（Ｂ
）設備側ユニットを備え、該サーボ側ユニットはサーバーに統合される。このサーバーは
ネットワークシステムにリンクされ、ネットワークワークステーションに該ネットワーク
システムを介して該サーボ側ユニットを制御させる。該サーボ側ユニットは、少なくとも
（Ａ１）使用者制御インタフェースモジュール、および（Ａ２）それぞれの被制御照明設
備に関する規格および管理データを蓄積するためのモニターデータ蓄積モジュールを備え
、さらに、（Ａ３）定期性操作特性統計分析モジュールを選択的に備えてよい。該設備側
ユニットは、被制御設備に統合され、該ネットワークシステムにリンクされる。この構造
は、少なくとも（Ｂ０）ネットワークリンクモジュール、（Ｂ１）設備側サーボモジュー
ル、および（Ｂ２）操作状態モニター装置と操作状態制御器を有する操作状態モニターモ
ジュールを備え、操作状態モニター装置は、該照明設備の電源オンオフ状態をモニターす
るためのスイッチモニターと、該照明設備の負荷電圧、負荷電流、消費電力をモニターするための電力使用量モニター手段と、該照明設備によって生成された発光輝度をモニターするための照明度モニター手段とを備えている。